(57)【要約】【課題】  携帯端末の載設状態で、携帯端末の押ボタンスイッチの押下方向とホルダの押ボタンの押下方向との関係が略々直角方向となる場合、構造を大型化させず、押ボタンを少ない力で感触良く押し込み可能とする。【解決手段】  ボタン・カム部材１０は押ボタン１１とその押下方向（矢印Ａ１）に対して略々直角方向の回動軸のヒンジ部２２と押ボタン１１の押下方向に対して傾斜面で且つその傾斜面が携帯電話端末２の押ボタンスイッチ３の押下方向（Ａ２）へ向く面となるカム面を有するカム部２１とが一体化されている。打鍵・ヒンジ部３０はボタン・カム部材１０のヒンジ部２２の回動軸に対して略々直角方向の回動軸のヒンジ部３１とカム面と摺接する突起部３４とヒンジ部３１の回動に応じて矢印Ａ２方向に押し出される打鍵部１２とが一体化されている。打鍵部１２は端末２の押ボタンスイッチ３に相対応する位置に配置されている。【選択図】  図２
2008028813.tif 000002
【特許請求の範囲】
【請求項１】
携帯端末が載設された時に、上記携帯端末の筐体側面に設けられている端末押ボタンの押し込み方向と、当該ホルダに設けられているホルダ押ボタンの押し込み方向との間の関係が略々直角となされた携帯端末用ホルダであって、
上記ホルダ押ボタンと、当該ホルダ押ボタンの押下方向に対して略々直角方向の回動軸と、上記ホルダ押ボタンの押下方向に対して傾斜した面で且つその傾斜面が上記端末押ボタンの押し込み方向へ向いた面となされるカム面とが一体化されて形成され、上記ホルダ押ボタンの押下動作に応じて、上記カム面を上記回動軸の回動方向へ移動させるボタン・カム部と、
上記ボタン・カム部の回動軸に対して略々直角方向の回動軸と、上記カム面と摺接する摺接部と、上記回動軸の回動に応じて移動する打鍵部とが一体化されて形成された打鍵・ヒンジ部とを有し、
上記打鍵・ヒンジ部の上記打鍵部を、上記載設された携帯端末の端末押ボタンに相対応する位置に配置して成る、
ことを特徴とする携帯端末用ホルダ。
【請求項２】
上記ホルダ押しボタンの押下方向の反対方向への反発力を発生する圧縮コイルバネを有することを特徴とする請求項１記載の携帯端末用ホルダ。
【請求項３】
上記打鍵・ヒンジ部は、上記摺接部が上記カム面により押されて摺動することで上記回動軸が回動する方向の反対方向への反発力を発生するスプリング部が一体化されてなることを特徴とする請求項１記載の携帯端末用ホルダ。
【請求項４】
上記ホルダ押ボタンが筐体内側から遊挿及び突没可能となされたホルダ押ボタン用貫通穴部と、上記打鍵部が筐体内側から遊挿及び突出可能となされた打鍵部用貫通穴部とが、上記載設された携帯端末の端末押ボタンの近傍に配置されて成ることを特徴とする請求項１記載の携帯端末用ホルダ。
【発明の詳細な説明】
【技術分野】
【０００１】
本発明は、携帯電話端末等の携帯端末が装填される携帯端末用ホルダに関する。
【背景技術】
【０００２】
携帯電話端末等の携帯端末が装填された時に、その携帯端末への充電等を行う従来の携帯端末用ホルダとして、特開２００３−２８９３６２号の公開特許公報（特許文献１）には、ホルダ本体の装着部に携帯電話機をセットしたときに、当該携帯電話機により押圧されることによりマイクロスイッチのアクチュエータ部を押圧してマイクロスイッチをオン状態にするスイッチ押圧手段として、ホルダ本体内の所定位置に基端が揺動可能に支持されて先端が揺動端とされた揺動レバーを用い、その揺動レバーの揺動端には、ホルダ本体の所定位置に設けられた貫通孔を介してホルダ本体内側から装着部側に突出するように配置されて携帯電話機により押圧される被押圧部を設け、そして、揺動レバーの揺動端と基端との間に、マイクロスイッチのアクチュエータ部に対する押圧部を設けた携帯電話機用の充電ホルダが開示されている。
【０００３】
また、特開２００４−８８６８８号の公開特許公報（特許文献２）には、スプリングに抗して携帯電話機により押下されることにより充電スイッチをオンにするボタンが、携帯電話機の搭載位置の状態に位置するようにして配置されており、そのボタンに隣接させてスプリングによって附勢される嵌合フックが配置され、この嵌合フックは携帯電話機の載置位置部分に開口する嵌合フック取付穴から露出し、且つボタンの上端面を覆う突起部を有するようになされた充電用卓上ホルダが開示されている。
【０００４】
【特許文献１】特開２００３−２８９３６２号公報（図３）
【特許文献２】特開２００４−８８６８８号公報（図１）
【発明の開示】
【発明が解決しようとする課題】
【０００５】
ところで、一般的な携帯端末用ホルダは、上述したように、携帯端末が載設等された時に、それをボタンやスイッチ等にて検知して充電等を開始する機構を備えているものは多いが、例えば、ホルダ側に設けられている押ボタン等を押下する際の押下力を、携帯端末上の押ボタンスイッチを押下する力に変換及び伝達するような機構を備えたものは非常に少ない。
【０００６】
特に、携帯端末がホルダに載設された状態の時、当該携帯端末の筐体側面に設けられている押ボタンスイッチの押し込み方向とホルダ上に設けられている押ボタンの押し込み方向との間の関係が略々直角方向となるような場合には、上記ホルダの押ボタンの押下力を上記携帯端末の押ボタンスイッチを押下する力に変換及び伝達するために特別な機構が必要となる。
【０００７】
すなわち、当該特別な機構として、ホルダには、例えばいわゆるピアノキーの打鍵機構のように、押ボタンの押下方向に対して略々直角方向に押下力を伝達するようなようなヒンジを備えたレバー機構や、或いは、互いに直動ガイドを有する押ボタンと打鍵がカムを介して直角方向に動作できるような機構が必要となる。
【０００８】
ここで、前者のピアノキー打鍵機構に準じた構造の場合、当該機構が有効に機能させるためには、レバー機構のヒンジ部と押ボタン及び打鍵部間の距離を十分確保しなければならない。しかしながら、携帯電話端末等の携帯端末用のホルダは、一般に小型であることが求められており、またホルダの意匠上の制約などにより、当該機構を実現するための十分な距離を確保できなくなってしまう場合がある。
【０００９】
また、後者のカムを用いた構造の場合は、前者のような距離確保等の要件は無視できるが、押ボタンと打鍵共に直動ガイドとの間の摺動摩擦ロスやカム機構によるロス（力の分散）があるために、押ボタンを押し込む際に大きな押下力が必要となり、また、押し込み時の感触も悪くなってしまう。
【００１０】
本発明は、このような実情に鑑みて提案されたものであり、携帯端末が載設された状態の時に、その携帯端末の筐体側面に設けられている端末側押ボタンの押し込み方向と当該ホルダ上に設けられているホルダ側押ボタンの押し込み方向との間の関係が略々直角方向となるような場合において、構造が大型化することなく、またホルダ側押ボタンを押し込む際に大きな押下力を必要とせず、さらに押し込み時の感触も良い押下力に変換及び伝達機構を備えた携帯端末用ホルダを提供することを目的とする。
【課題を解決するための手段】
【００１１】
本発明の携帯端末用ホルダは、携帯端末が載設された時に、上記携帯端末の筐体側面に設けられている端末押ボタンの押し込み方向と、当該ホルダに設けられているホルダ押ボタンの押し込み方向との間の関係が略々直角となされた携帯端末用ホルダであって、ホルダ押ボタンと、当該ホルダ押ボタンの押下方向に対して略々直角方向の回動軸と、ホルダ押ボタンの押下方向に対して傾斜した面で且つその傾斜面が端末押ボタンの押し込み方向へ向いた面となされるカム面とが一体化されて形成され、ホルダ押ボタンの押下動作に応じて、カム面を回動軸の回動方向へ移動させるボタン・カム部と、ボタン・カム部の回動軸に対して略々直角方向の回動軸と、カム面と摺接する摺接部と、回動軸の回動に応じて移動する打鍵部とが一体化されて形成された打鍵・ヒンジ部とを有し、打鍵・ヒンジ部の上記打鍵部を、携帯端末の端末押ボタンに相対応する位置に配置して成ることにより、上述した課題を解決する。
【００１２】
すなわち、本発明によれば、ホルダ押ボタンの押下方向及び押下力を、カム面の回動を介して、携帯端末の端末押ボタンの押下方向及び押下力へ変換しており、回動時の摩擦ロスは非常に少ないため、例えば直動ガイドを用いたカム機構よりも、より少ない押下力で押ボタンを押し込むことができる。
【発明の効果】
【００１３】
本発明においては、ホルダ押ボタンの押下方向及び押下力を、カム面の回動を介して、携帯端末の端末押ボタンの押下方向及び押下力へ変換することにより、携帯端末が載設された状態の時に、その携帯端末の筐体側面に設けられている押ボタンスイッチの押し込み方向と当該ホルダ上に設けられている押ボタンの押し込み方向との間の関係が略々直角方向となるような場合に、構造が大型化することなく、また押ボタンを押し込む際に大きな押下力を必要とせず、さらに押し込み時の感触も良い押下力で、端末押ボタンを押し込むことが可能となる。
【発明を実施するための最良の形態】
【００１４】
以下、図面を参照しながら、本発明の携帯端末用ホルダの一実施形態について説明する。
【００１５】
なお、本実施形態では、本発明が適用される一例として、携帯電話端末が載設されるホルダを挙げているが、勿論、ここで説明する内容はあくまで一例であり、本発明はこの例に限定されないことは言うまでもない。
【００１６】
〔ホルダの外観〕
図１には、本発明実施形態の携帯端末用ホルダ１の主要部の概略的な外観を示す。
【００１７】
本実施形態の携帯端末用ホルダ１は、携帯電話端末２の端子部が配された端部側が図中矢印Ａ３方向に挿入されて載設される載設部１３を備えている。なお、図１では、図示を省略しているが、当該載設部１３の底部には、携帯電話端末２の端子部と電気的に接続することで当該携帯電話端末２の内部バッテリを充電するための充電端子等が設けられている。
【００１８】
また、本実施形態の携帯端末用ホルダ１には、上記載設部１３に携帯電話端末２が載設された時に当該携帯電話端末２の側面部に設けられている押ボタンスイッチ３の近傍となる筐体上面位置に、押ボタン１１が筐体内側から遊挿及び突没可能に配置される押ボタン用貫通穴部１１ｐが設けられており、さらに、携帯電話端末２の押ボタンスイッチ３と相対応する載設部１３内筐体壁面位置に、打鍵部１２が筐体内側から遊挿及び突出可能に配置される打鍵部用貫通穴部１２ｐが設けられている。
【００１９】
詳細な構成については後述するが、本実施形態の携帯端末用ホルダ１は、上記押ボタン１１が図中矢印Ａ１に示す方向へ押下された時には、それに連動して上記打鍵部１２を図中矢印Ａ２方向へ押し出し、一方、上記押ボタン１１が図中矢印Ａ１の方向へ押下する力が解除された時には、それに連動して上記打鍵部１２を図中矢印Ａ２とは反対方向へ戻すような押下力変換・伝達機構を備えている。
【００２０】
〔押下力変換・伝達機構の構造〕
図２〜図４には、上記押下力変換・伝達機構の具体的な構造を示す。
【００２１】
図２には、本実施形態の携帯端末用ホルダ１の内部に設けられている押下力変換・伝達機構の主要部を、図１の例に対して略々右斜め下方向から観た図を示している。但し、当該図２には、ホルダ１の筐体本体の図示については省略する一方で、上記載設部１３に携帯電話端末２が載設された時の当該携帯電話端末２の一部と押ボタンスイッチ３を図示している。また、図３には、押下力変換・伝達機構の主要部とホルダ１の一部破断面を、図１の例に対して略々正面斜め下方向から観た図を示している。当該図３には、上記載設部１３に携帯電話端末２が載設された時の当該携帯電話端末２の一部も図示している。なお、図３の例では、載設部１３の底部に設けられている充電端子等の図示は省略している。また、図４は、押下力変換・伝達機構を構成する各主要部品を、図１の例のホルダ底面側方向から観た時の分解斜視図を示している。
【００２２】
これら図２〜図４において、上記押下力変換・伝達機構は、主要部の構成として、ボタン・カム部材１０と、圧縮コイルバネ４０と、打鍵・ヒンジ部材３０と、打鍵台部材５０とを有している。
【００２３】
ボタン・カム部材１０は、押ボタン１１が矢印Ａ１方向に押下されたり逆に当該押ボタン１１への押下力の解除がなされた時に、例えば携帯端末用ホルダ１の筐体内壁面に当接した状態でその当接部分を支点として当該ボタン・カム部材１０を矢印Ａ１方向に対して略々直角方向の回動軸にて回動可能に軸支する略々円柱形のヒンジ部２２と、圧縮コイルバネ４０の一端部が挿入されて当該圧縮コイルバネ４０の一端部を保持するためのコイルバネ挿入保持部２３と、上記押ボタン１１が矢印Ａ１方向に押下される際の当該押下方向に対して例えば４５度等の所定の角度となされた傾斜面で且つその傾斜面が当該携帯端末用ホルダ１の打鍵部用貫通穴部１２ｐの配置方向（穴部軸方向、つまり携帯電話端末１の押ボタンスイッチ３の押下方向）へ向いた面となされるカム面を備えたカム部２１と、上記押ボタン１１とが、一体化されて形成されている。
【００２４】
上記圧縮コイルバネ４０は、一方の端部が上記ボタン・カム部材１０のコイルバネ挿入保持部２３に挿入保持され、他方の端部が打鍵台部材５０に設けられているコイルバネ挿入保持部（図示は省略する。）に挿入保持されて配置される。当該圧縮コイルバネ４０は、上記押ボタン１１が矢印Ａ１方向に押下されたときには、その押ボタン１１への押下方向に対して適度な反発力を与え、一方、押ボタン１１への押下力の解除がなされた時には、当該押ボタン１１を元の位置へ押し戻す方向、つまり押ボタン用貫通穴部１１ｐから押ボタン１１がホルダ外部側へ突出した状態へ戻すために設けられている。
【００２５】
打鍵・ヒンジ部材３０は、上記打鍵台部材５０に設けられているヒンジ保持部５１内に嵌め込まれて保持された状態で当該打鍵・ヒンジ部材３０を上記ボタン・カム部材１０のヒンジ部２２の回動軸に対して略々直角となる回転軸により回動可能に軸支する略々円柱形のヒンジ部３１と、携帯端末用ホルダ１の打鍵部用貫通穴部１２ｐに遊挿される打鍵部１２と、上記打鍵部１２の基端部側に配置されて上記ボタン・カム部材１０のカム部２１のカム面と摺接する突起部３４と、上記打鍵部１２及び突起部３４の共有基端部と上記ヒンジ部３１とを連結する腕部３２と、携帯電話端末用ホルダ１の筐体内壁面に当接する当接部３６と、上記当接部３６の基端部と上記ヒンジ部３１とを連結すると共に上記圧縮コイルバネ４０と同様に上記ボタン・カム部材１０の押ボタン１１が矢印Ａ１方向に押下されたときにはその押ボタン１１への押下方向に対して適度な反発力を与え、一方で、押ボタン１１への押下力の解除がなされた時には当該押ボタン１１を元の位置へ押し戻す力を発生すると同時に打鍵部１２を打鍵部用貫通穴部１２ｐから没方向へ戻す力を発生する樹脂スプリング部材となれた腕部３３とが、一体化されて形成されている。上記押ボタン１１は、前述したように、当該携帯端末用ホルダ１の筐体内側から押ボタン用貫通穴部１１ｐに遊挿されて、ホルダ外部へ突出するように配置される。
【００２６】
上記打鍵台部材５０は、上記打鍵・ヒンジ部材３０のヒンジ部３１を回動可能に軸支するヒンジ保持部５１と、上記圧縮コイルバネ４０の他端部を保持するコイルバネ挿入保持部（図示は省略する。）とを有し、取付ネジ穴５２及び５３を介して図示しない筐体固定用部材に対してネジ止めされる。
【００２７】
本実施形態の携帯端末用ホルダ１においては、以上説明したような各部品を備えた押下力変換・伝達機構が図２〜図４に示すように組み立てられ、上記ボタン・カム部材１０の押ボタン１１が、前述したように当該携帯端末用ホルダ１の筐体内側から押ボタン用貫通穴部１１ｐに遊挿されてホルダ外部へ突出するように配置され、また、打鍵・ヒンジ部材３０の打鍵部１２が、前述したように当該携帯端末用ホルダ１の筐体内側から打鍵部用貫通穴部１２ｐに遊挿される。
【００２８】
そして、本実施形態の携帯端末用ホルダ１の押下力変換・伝達機構において、上記押ボタン１１が矢印Ａ１方向へ押下されると、当該押ボタン１１へ加えられた矢印Ａ１方向への押下力は、ボタン・カム部材１０のヒンジ部２２の回転軸に対する回動力となり、ボタン・カム部材１０のカム部２１を矢印Ａ４方向へ押し下げる力として作用することになる。また、上記カム部２１を矢印Ａ４方向へ押し下げる方向に加えられた力は、当該カム部２１のカム面を介して、打鍵・ヒンジ部材３０の突起部３４を矢印Ａ５へ示す方向へ押し込む力として作用することになる。この時、打鍵・ヒンジ部材３０では、上記矢印Ａ５方向への押し込み力が、当該打鍵・ヒンジ部材３９のヒンジ部３１の回転軸に対する回動力になると同時に、上記突起部３４と基端部を共有する打鍵部１２を矢印Ａ２方向へ押し出す力として作用することになる。これにより、上記打鍵部１２は、上記打鍵部用貫通穴部１２ｐを介して、携帯端末用ホルダ１の載設部１３側へ突出することになる。ここで、当該携帯端末用ホルダ１の載設部１３に、上記携帯電話端末２が載設されていれば、上記打鍵部１２と相対応する位置に当該携帯電話端末２の押ボタンスイッチ３が存在することになり、その結果、当該押ボタンスイッチ３が上記打鍵部１２により押下されることとなる。
【００２９】
一方、本実施形態の携帯端末用ホルダ１の押下力変換・伝達機構において、上記押ボタン１１に対する矢印Ａ１方向への押下力が解除されると、押ボタン１１は、前記圧縮コイルバネ４０及び腕部３３の樹脂スプリング部材の反発力によって矢印Ａ１とは反対の方向に押し戻されると共に、打鍵部１２は、腕部３３の樹脂スプリングの反発力によって矢印Ａ２とは反対方向に押し戻される。その結果、上記携帯電話端末１の押ボタンスイッチ３へ加えられていた押下力も解除されることになる。
【００３０】
〔まとめ〕
以上説明したように、本発明実施形態の携帯端末用ホルダ１によれば、載設部１３に携帯電話端末２が載設された時に、その携帯電話端末１の筐体側面に設けられている押ボタンスイッチ３の押し込み方向と当該ホルダ１上に設けられている押ボタン１１の押し込み方向との間の関係が略々直角方向となるような場合において、上記押ボタン１１が矢印Ａ１に示す方向へ押下された時には、それに連動した低摩擦ロスの回動力により打鍵部１２を矢印Ａ２方向（矢印Ａ１に対して略々直角方向）へ押し出し、一方、押ボタン１１が矢印Ａ１の方向へ押下する力が解除された時には、それに連動した低摩擦ロスの回動力により打鍵部１２を矢印Ａ２とは反対方向へ戻すような押下力変換・伝達機構を備えていることにより、押ボタンを押し込む際に低荷重で且つ動作感の良い機構を小さいスペース内で実現可能となっている。
【００３１】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００３２】
本実施形態の携帯端末用ホルダは、携帯電話端末用のホルダに限定されず、例えばＰＤＡ（Personal Digital Assistant）の充電用ホルダや、携帯型テレビゲーム装置の充電用ホルダ、携帯型のデジタルテレビジョン放送受信装置の充電用ホルダ等のような各種の携帯端末用ホルダにも適用可能である。
【図面の簡単な説明】
【００３３】
【図１】本発明実施形態の携帯端末用ホルダの概略的な外観斜視図である。
【図２】本実施形態の携帯端末用ホルダの内部に設けられている押下力変換・伝達機構の主要部を、図１の例に対して略々右斜め下方向から観た斜視図である。
【図３】押下力変換・伝達機構の主要部とホルダの一部破断面を、図１の例に対して略々正面斜め下方向から観た斜視図である。
【図４】押下力変換・伝達機構を構成する各主要部品を、図１の例のホルダ底面側方向から観た時の分解斜視図である。
【符号の説明】
【００３４】
１  携帯端末用ホルダ、２  携帯電話端末、３  押ボタンスイッチ、１０  ボタン・カム部材、１１  押ボタン、１１ｐ  押ボタン用貫通穴部、１２  打鍵部、１２ｐ  打鍵部用貫通穴部、１３  載設部、２１  カム部、２２  ボタン・カム部材のヒンジ部、２３  コイルバネ挿入保持部、３０  打鍵・ヒンジ部材、３１  打鍵・ヒンジ部材のヒンジ部、３２，３３  腕部、３４  突起部、３６  当接部、４０  圧縮コイルバネ、５０  打鍵台部材、５１  ヒンジ保持部、５２，５３  取付ネジ穴
【図１】
2008028813.tif 000003
【図２】
2008028813.tif 000004
【図３】
2008028813.tif 000005
【図４】
2008028813.tif 000006